(57)【特許請求の範囲】
【請求項１】
平板状の容器に指掛け部材が設けられた容器であって、その容器の平面の水平方向に対して回転可能な回転部材を設けると共に、その回転部材に指掛け部を設けたことを特徴とする容器。
【請求項２】
前記回転部材に指掛け部を一体に形成したことを特徴とする請求項１記載の容器。
【請求項３】
前記回転部材に指掛け部材を軸支したことを特徴とする請求項１記載の容器。
【請求項４】
前記容器に複数のホルダーを設けたことを特徴とする請求項１、或いは、請求項２記載の容器。
【請求項５】
前記パレットと指掛け部材の回転動作、或いは、移動動作に対して抵抗を付与したことを特徴とする請求項１〜請求項４の何れかに記載の容器。
【発明の詳細な説明】
【技術分野】
【０００１】
本発明は、ゲル状や固形絵の具を使って描画する際に使用するパレット（容器）、或いは、ファンデーション・アイライナーといった化粧品の他に、それらを塗布する際に使用する筆や鏡なども収納することができる容器（ケース）、特に、片手で保持して使用する板状、或いは、箱状の容器であって、その容器を保持する際に補助するための指掛け孔を有する容器に関する。
【背景技術】
【０００２】
前記描画の際に使用するパレット、或いは、ファンデーションやアイライナーといった化粧品の他に、筆を収納した容器（ケース）を使用する際には、その容器を利き手と反対側の手で持つ一方、利き手で筆や鏡、ペンなどを持つのが一般的である。そして、それらの容器には、片手で保持し得るように指を掛ける指掛け部が形成されているものが広く知られている。
その指掛け部の構成としては、パレット（容器）に形成した貫通孔や、円弧状の線状部材をパレットの底面に取り付けたものが多く知られている。勿論、それら貫通孔や円弧状の線状部材は、指が通過し得る程度の空間が形成されている。
【特許文献１】特開平１１−３２１１９９号公報
【発明の開示】
【発明が解決しようとする課題】
【０００３】
しかし、従来の指掛け部の位置は、パレットに対して固定された状態にあり、それ故に、使用者が指掛け部にどの指を、どの方向から掛けるかを自由に設定することが困難であった。そのため、指掛け部に掛ける指やその方向如何によってはパレットの向きが定まらず、使用者にとっては使いづらい方向に保持されてしまうことがしばしばあった。
そこで、本発明は片手での保持を補助するための指掛け部を有するパレット（容器）であって、指掛け部を使用して片手で保持する場合に使用者の好みに合わせて自由に固定方向を決めることが出来るようにすることを課題とする。
【課題を解決するための手段】
【０００４】
本発明は、平板状の容器に指掛け部材が設けられた容器であって、その容器の平面の水平方向に対して回転可能な回転部材を設けると共に、その回転部材に指掛け部を設けたことを要旨とする。
このような構造を採ることで、使用者は指掛けで本体を固定したまま手の上で本体を回して自分の使いやすい、好みの位置に本体を固定することが出来るようになる。
【発明の効果】
【０００５】
本発明は平板状の容器に指掛け部材が設けられた容器であって、その容器の平面の水平方向に対して回転可能な回転部材を設けると共に、その回転部材に指掛け部を設けたので、使用者は指掛け部に指を掛けた状態で手の上で容器の向きを変えることができ、その結果、使用者が使いやすい好みの位置に容器を固定することが出来るようになる。
【発明を実施するための最良の形態】
【０００６】
図１と図２は本発明にかかる固形絵の具セットケース（容器）の全体図である（第一実施例)。本体１はＡＢＳ樹脂などの耐衝撃性に優れた樹脂で形成されており、上部に大きく開口した箱状の形をしている。
本体１の内側には固形絵の具が入った単色ホルダー２がホルダー受け３上に複数固定された状態で挿入されている。
【０００７】
図３はホルダー受け３と単色ホルダー２の組付けを解き、単色ホルダー２を１つのみ表示したものである。また、図４はホルダー受け３と単色ホルダー２の組付けを解いた状態でそれらを裏側から見た場合の要部拡大図である。単色ホルダー２はホルダー受け３上に一つ一つ個別に固定されており、ホルダー受け３に設けられた穴３１の幅広部３１１に単色ホルダーの突出部２１を挿入後、単色ホルダー２を穴３１の幅狭部３１２に向かってスライドさせることにより穴３１の幅狭部３１２の側面に設けられたリブ３２を単色ホルダー側のリブ２２が乗越えることでクリック感を持って固定される。尚、固定状態では単色ホルダー２の底面と突出部先端に設けた幅広部２３とでホルダー受けの幅狭部３１２の側部を挟持するため、前記単色ホルダー２が不意に脱落する恐れがない。また、単色ホルダー２をスライドさせる方向は、使用状態での不意な脱落を防ぐため、ホルダー受け３が本体１に挿入されている状態ならば、本体１内面の壁が邪魔になってスライドできなくなるような向きに設定している。本体１内面の壁に面していない位置に配置された単色ホルダー２についてはその隣に配置される単色ホルダー２’が邪魔になってやはりスライドできないようになっている。このような構造にすることでホルダー受け３が本体１に挿入されている状態、すなわち使用状態において単色ホルダー２が不意に脱落する心配がない。
【０００８】
ホルダー受け３と本体１の固定は、ホルダー受け３の一端をその側面に設けられた突出部３３を本体１のホルダー受け３の挿入部側壁面１ａに設けられた溝１６に挿入して固定されている。一方、ホルダー受け３の反対側の端面には弾性変形部３４が立設形成されており、その弾性変形部３４の上方部には穴３５が形成されている。そして、その穴３５が本体１のホルダー受け３の挿入部側壁面１ｂに設けられたリブ１７に引っ掛けられており固定もされている。尚、その挿入部側壁面１ｂは本体１の中間部に形成されている。
ホルダー受け３を取り外す際には、ホルダー受け３の弾性変形部３４の上部に位置する指掛け部３６を指で横方向に向けて押圧し、弾性変形部３４を変形させることで、リブ１７の穴３５に対する引っ掛かりが解除され、前記のホルダー受け３を本体１から取り外すことが可能となる。
【０００９】
さらに、濡れた筆をふき取るためのスポンジ４もホルダー受け３上で単色ホルダー２が入っていないスペースに配置されている。尚、スポンジ４を取り外してしまえば、その空いたスペースにさらに単色ホルダー２を配置することもできる。この様な構成を採ることより多くの色を携帯したい場合に、特に、便利である。
そして、上記部品が収納されるスペースとは区切られたスペースとして、単色ホルダー２やホルダー受け３、並びに、スポンジ４が収納されているスペースの隣接するスパースには、筆入れ１１が設けられており、また、本体１と蓋５をつなぐヒンジ部の本体部内側には鉛筆入れ１２のスペースがそれぞれ設けられている。
【００１０】
本体１には、ヒンジ機構を介して蓋５が回転自在に取り付けられている。その蓋５はポリカーボネートなどの耐衝撃性に優れた透明または半透明の樹脂で形成されている。また、その蓋５が回動して本体１の上部を閉じる際には、本体１の嵌合部１５が蓋５の嵌合部５２を乗越え・係合することにより、蓋５の回動を略固定する。この固定により、蓋５が不意に開いてしまうことを防止する。更に、その蓋５の内側にはパレット６が着脱自在に取り付けられている。そのパレット６は、そのパレット６の内側で混色される絵の具の色を正確に把握できるように白色の樹脂で形成されており、使用される樹脂は絵の具によって染色されにくいスチレン系の樹脂を用いている。尚、パレット６と蓋５は任意に離脱させることができ、パレット６のみを水洗いできるようにしている。また、パレット６と蓋５との着脱を容易にするために、蓋５の側面にはパレット６のみをつまみ出せるように、そのパレット６に指の爪を掛けるための切欠き５１が設けられている。
また、パレット６の裏面に塗装や印刷などの意匠を施すことにより、蓋５を閉じた状態のときに、透明または半透明の樹脂で形成された蓋５を透過させてその意匠を視認することができ、より美しい外観を呈することができる。
【００１１】
さらに、前記本体１の底面には、円盤形状をなした指掛け基部７が本体１の水平方向に対して回動自在に取り付けられ、その指掛け基部７の中心には指掛け部８が本体１の底面に対して突出・格納自在に取り付けられているが、その指掛け部８は指掛け基部７に対して回動するように取り付けられることによって、前記の突出・格納が可能なものとなっている。その指掛け部８には、その指掛け部８の側面に設けられたリブ８１が、前記本体１の底面に設けられた指掛け格納部１３の側面に形成されたリブ１４を乗越え・係合することにより、格納時においてその格納状態が維持されるよう係止される。
【００１２】
前記指掛け基部７は本体１に対して回動自在に取り付けられているので、その指掛け基部７に取り付けられている指掛け部８も本体１に対して回動自在になっている。また、指掛け部８と指掛け基部７は指掛け８に設けられた回転軸８ａを指掛け基部７に設けられた軸受け７ａが軸支することでヒンジ機構をなしている。このヒンジ機構によって、指掛け部８は指掛け基部７に対して起立・倒伏が可能なものとなっている。つまり、指掛け部８は指掛け基部７に対して、その角度が自由に設定できるものとなっており、例えば、指掛け基部８の指掛け基部７に対する角度を４５度にしてみたり、或いは、６０度、９０度にしてみたりすることもできるようになっている。
このような構成をとっているので、指掛け８に設けられた指通し穴８２はあらゆる向きと角度に対応することが出来る。よって、使用者は指掛け８の指通し穴８２に指を通してセットケースを保持する際に自分の使いやすい、好みの向きに保持することが出来る。
【００１３】
図９は本体１から指掛け基部７を外した状態であり、両者の接合面を顕にしたものである。指掛け基部７と本体１の回転接合部１ｃの本体側には回転接合部１ｃの周辺の全周に渡って放射状に形成した断面三角型の凹凸１８が刻まれており、一方、指掛け基部７の回転接合部１ｃの周辺には１つまたは複数の断面三角型のリブ７１が設けられている。よって、本体１と指掛け基部７の接合状態ではこれらが噛み合っており、指掛け基部７の回転に合わせてカチカチとクリック音がするようになしている。このクリックで本体１と指掛け基部７の回転は略固定状態となっており、使用者の意図しない不意の回動を防ぐことができるものである。また、指掛け基部７には、円形状ではあるものの部分的に係合突起７ｂが形成されており、その係合突起７ｂが前記回転接合部１ｃの反対側面に係止している。この係合突起７ｂによって、指掛け基部７の本体１よりの脱落が防止されている。
【００１４】
図１０に指掛け基部７と指掛け８の組み付けを解いた状態を示す。指掛け基部７と指掛け８の組みつけは指掛け基部の表面から、指掛け基部の穴７２に指掛け８の嵌合部８３を挿し込み、指掛け基部の嵌合部７３に嵌合させて行う。一旦指掛け基部７を指掛け８の嵌合部８３が貫通してから嵌合させる形になるため、指掛け基部７を本体１に組み付けた後は指掛け基部７と本体１の嵌合をはずさない限り、指掛け基部７と指掛け８が外れてしまう心配がない。また、指掛け基部７の嵌合部７３の中央部には指掛け８使用時の負荷によって指掛け基部７が破損してしまうことを防ぐために、補強部７４が設けられている。
【００１５】
図１１に本発明にかかる第２の実施例を示す。実施例２は指掛け基部７と本体１との回動を固定するために、指掛け基部７の中心部にネジ９を設けたものである。そのネジ９は使用者が手で緩め・締め付けを行えるように、その頭部の側面にローレットを刻んだ樹脂製の円盤状部９１になっている。このネジ９を本体１に対して締め付けることにより、指掛け基部７が本体に圧接され、この圧接作用により指掛け基部７と本体１の回動を任意の角度で固定することができる。また、ネジ９を緩めれば指掛け基部７と本体１との圧接作用が解除され、指掛け基部７を本体１に対して再び回動させることができる。
このような構造をとることにより、前記凹凸１８とリブ７１との噛み合わせによる係脱動作と相まって、確実・強固に指掛け基部７の回動を規制することが出来る。その結果、使用者の意図しない不意の回動を防止する効果がより向上する。また、ネジ９を緩めれば再び回動自在となるので、指掛け部８を指掛け格納部１３に格納することも容易に行える。
【００１６】
図１２に本発明にかかる第３の実施例を示す。この実施例３は、指掛け基部７にリブ７５を形成しており、そのリブ７５と係脱する凹凸部８４が指掛け部８に形成されている。前記第１実施例の本体１と指掛け基部７の関係に示したのと同様に、指掛け部８を指掛け基部７に対して回動させるとカチカチとしたクリック音が発生すると共に、指掛け基部７と指掛け８の角度を略固定状態とすることもできる。このような構造をとることで、指掛け部８の角度と向きをともに略固定することができ、使用者はより安定した形態で製品を片手で保持できるものである。
【００１７】
特に図示しないが、指掛け基部７と指掛け部８の回動を第２実施例のようにネジなどを用いて固定・回動自在になすこともできる。このような構造を採れば、使用状態において指掛け部８を完全に固定してしまうことができるので、より安定した状態で片手で製品を保持することができる。
【００１８】
図１３に本発明にかかる第４の実施例を示す。前記実施例では、ケース本体に指掛け部を設けているが、パレット自体に指掛け部を設けても良い。以下説明する。板状のパレット１０には、回転穴１０ａが形成されており、その回転穴１０ａにはパレット１０の水平方向に対して回転可能な指掛け部１１が挿着されている。その指掛け部１１のほぼ中央部には、指掛け孔１１１が形成されている。その指掛け孔１１１の裏側から指を通すことで片手でパレット１０を保持することができるものである。前記指掛け孔１１１は楕円形をしており、指を通す方向を限定してしまうが、指掛け部１１はパレット１０の上面の水平方向に対して回転するので、使用者は自分の好みの角度にパレット１０を保持することができる。
【００１９】
図１４に本発明にかかる第５の実施例を示す。前記第４実施例の回転穴１０ｂを円弧状に形成し、その円弧状の回転穴１０ｂに指掛け部１１を回転自在に装着した例である。また、その指掛け部１１は、回転孔１０ｂ内を回転しながら円弧に沿って移動できるものとなっている。指掛け部１１はパレット１０の上面の水平方向に対して回転しながら移動もするので、使用者は自分の好みの角度にパレット１０を保持することができる。
【産業上の利用可能性】
【００２０】
本発明による容器（ケース、又は、パレット）は請求項に示された形態を持って前述のような作用・効果を得たので、使用者が片手で保持して使用する際に、その補助として指掛け部を使用しても使用者に対する容器の向きを限定されることがなく、使用者にとって常に使いやすい向きに保持できるものである。
【図面の簡単な説明】
【００２１】
【図１】本発明にかかる固形絵の具セットの全体の上面斜視図である。
【図２】本発明にかかる固形絵の具セットの全体の底面斜視図である。
【図３】ホルダー受けと単色ホルダーを取り外した状態の斜視図である。
【図４】ホルダー受けと単色ホルダーを取り外した状態を底面側からみた要部斜視図である。
【図５】単色ホルダーを取り付けたホルダー受けと製品本体を取り外した状態の斜視図である。
【図６】単色ホルダーを取り付けたホルダー受けと製品本体を取り外した状態の要部断面図である。
【図７】指掛け展開状態の要部拡大図である。
【図８】指掛け格納状態の要部拡大図である。
【図９】本体と指掛け基部の組み付けを解き、両者の接合面を顕にした図である。
【図１０】指掛け基部と指掛けの組み付けを解いた状態の図である。
【図１１】実施例２にかかる製品の指掛け展開状態の要部拡大図である。
【図１２】実施例３にかかる製品の指掛け展開状態の指掛け部及び要部拡大図である。
【図１３】実施例４にかかる製品の全体図である。
【図１４】実施例５にかかる製品の全体図である。
【符号の説明】
【００２２】
１          本体
１１        筆入れスペース
１２        鉛筆入れスペース
１３        指掛け格納部
１４        指掛け固定リブ
１５                蓋嵌合部
１６        ホルダー受け挿入溝
１７        ホルダー受け固定リブ
１８        放射状の凹凸
１ｃ        回転接合部
２          単色ホルダー
２１        突出部
２２        ホルダー受け嵌合リブ
２３        幅広部
３          ホルダー受け
３１        単色ホルダー挿入穴
３１１      単色ホルダー挿入穴の幅広部
３１２      単色ホルダー挿入穴の幅狭部
３２        単色ホルダー嵌合リブ
３３        突出部
３４        弾性変形部
３５        本体嵌合穴
３６        指掛け
４          スポンジ
５          蓋
５１        切欠き
５２        本体嵌合部
６          パレット
７          指掛け基部
７１        三角リブ
７２        指掛け組み付け穴
７３        指掛け嵌合部
７４        補強部
７５        リブ
７ａ        軸受け
７ｂ        係合突起
８          指掛け
８１        リブ
８２        指通し穴
８３        指掛け基部嵌合部
８４        凹凸
８ａ        回転軸
９          ネジ
９１        円盤状部
１０        実施例４のパレット
１１        実施例４の指掛け
１１１      実施例４の指掛け穴
【図１】
0004835250.tif 000002
【図２】
0004835250.tif 000003
【図３】
0004835250.tif 000004
【図４】
0004835250.tif 000005
【図５】
0004835250.tif 000006
【図６】
0004835250.tif 000007
【図７】
0004835250.tif 000008
【図８】
0004835250.tif 000009
【図９】
0004835250.tif 000010
【図１０】
0004835250.tif 000011
【図１１】
0004835250.tif 000012
【図１２】
0004835250.tif 000013
【図１３】
0004835250.tif 000014
【図１４】
0004835250.tif 000015